(57)【特許請求の範囲】
【請求項１】
窓ガラス７の平面と平行する高剛性ランチャンネル２端部の片面（ＹＺ平面）及び該端部の片面と垂直方向の片面（ＸＹ平面）に各々少なくとも１以上の凹部である固定部８及び固定部９を設けるとともに窓ガラス７の平面と平行する固定片１の片面（ＹＺ平面）及び該固定片１の片面と垂直方向の片面（ＸＹ平面）に各々少なくとも１以上の凸部である固定部３及び固定部４を設け、しかも前記高剛性ランチャンネル２の組付け挿入側となる固定片１の上面の一端が上部（Ｘ軸側）へ押し広げられた挿入口１１を形成して、該固定部８と対応する固定部３及び該固定部９と対応する固定部４を各々嵌合わせたことを特徴とする高剛性ランチャンネルと固定片の取付構造。
【請求項２】
窓ガラス７の平面と平行する高剛性ランチャンネル２端部の片面（ＹＺ平面）及び該端部の片面と垂直方向の片面（ＸＹ平面）に各々少なくとも１以上の凸部である固定部８及び固定部９を設けるとともに窓ガラス７の平面と平行する固定片１の片面（ＹＺ平面）及び該固定片１の片面と垂直方向の片面（ＸＹ平面）に各々少なくとも１以上の凹部である固定部３及び固定部４を設け、しかも前記高剛性ランチャンネル２の組付け挿入側となる固定片１の上面の一端が上部（Ｘ軸側）へ押し広げられた挿入口１１を形成して、該固定部８と対応する固定部３及び該固定部９と対応する固定部４を各々嵌合わせたことを特徴とする高剛性ランチャンネルと固定片の取付構造。
【請求項３】
前記固定部３及び固定部４を、高剛性ランチャンネル２の延びる長手方向（Ｙ軸方向）に互いに離間して設けることを特徴とする請求項１又は２に記載の高剛性ランチャンネルと固定片の取付構造。
【発明の詳細な説明】
【技術分野】
【０００１】  本発明は、自動車の窓ガラスを昇降案内するためのドアパネルに取り付ける高剛性ランチャンネルと固定片の取付構造に関する。
【背景技術】
【０００２】  一般に、自動車の窓ガラスをスムーズに昇降させる窓ガラスの昇降機構として、窓ガラスを摺動案内するための溝を有したゴム材グラスランと該グラスランをドアパネルに固定するためのブラケットで構成されたものが提案されている。【０００３】  例えば、ドア本体の内側に上下方向に沿って配設されて、ガラスの端部を受容して摺動案内する横断面ほぼコ字形のグラスランと、一端部が前記グラスランの外形に沿ってコ字形状に折曲形成され、他端部がドア本体内に固定されたブラケットからなり、前記グラスランを内部に芯材が埋設されたゴム材によって一体に形成すると共に、該グラスランの両側壁の外面に嵌合溝を形成する一方、前記ブラケットの一端部の両端縁に前記嵌合溝に嵌合する嵌合部を内方へ折曲形成し、前記グラスランの外周面にブラケットを胞着把持しつつ嵌合溝に嵌合部を嵌合させてブラケットを取り付けたドア用グラスランのブラケット取付構造が提案されている。（特許文献１参照）【０００４】  そして、さらに前記ブラケットの一端部両側縁に、グラスランの嵌合溝底面に係止する係止爪を一体成形したドア用グラスランのブラケット取付構造が提案されている。（特許文献１参照）【０００５】  上記従来例は、グラスランのブラケット取付構造が、グラスランに設けた嵌合溝にブラケットの嵌合片を嵌合させること、さらに係止爪を有する嵌合片によってグラスランをブラケットに取り付ける構造に構成されたものである。【０００６】  しかしながら、上記従来例は、本発明者らの知見によると、グラスランをブラケットに取り付ける場合に特別な冶具が必要であり組付けが煩雑であるということが判った。即ち、グラスランのブラケットへの取り付けにおいて、グラスランの湾曲形状に沿うように特別の冶具を用いてブラケットを挟圧して、グラスランの嵌着溝にブラケットの嵌着片を食い込み状態になるように嵌着させるという作業が必要であること、また、ブラケットの嵌着片をグラスランの嵌着溝に沿って挿入しなければならず、一方向からしか取り付けができなく作業性が悪いこと、また、ブラケットの取り付け位置が固定されていなく位置決めを行う必要があり、組みつけが煩雑になるということが判った。【０００７】  そこで、自動車の窓ガラスを昇降案内するためのドアパネルに取り付ける高剛性ランチャンネルと固定片の取付構造に関し、特別な冶具を必要とせず作業性が良く容易に取り付けすることができる高剛性ランチャンネルと固定片の取付構造の開発が望まれていた。また、製作においても経済的でありかつ窓ガラスの昇降が長時間繰り返されても高剛性ランチャンネルが固定片からずれることなく十分な保持性を有しかつスムーズに窓ガラスの昇降ができる高剛性ランチャンネルと固定片の取付構造の開発が望まれていた。【０００８】  本発明者は、上記問題点に鑑み高剛性ランチャンネルと固定片の取付構造について鋭意研究した結果本発明を完成するに至った。【０００９】
【特許文献１】    （特開２０００−７１７８２号公報）
【発明の開示】
【発明が解決しようとする課題】
【００１０】  自動車の窓ガラスを昇降案内するためのドアパネルに取り付ける高剛性ランチャンネルと固定片の取付構造に関し、特別な冶具を必要とせず作業性が良く容易に取り付けすることができ、また、製作においても経済的でありかつ窓ガラスの昇降が長時間繰り返されても高剛性ランチャンネルが固定片からずれることなく十分な保持性を有しかつスムーズに窓ガラスの昇降ができる高剛性ランチャンネルと固定片の取付構造を提供することを課題とする。
【課題を解決するための手段】
【００１１】
本発明の第１は、窓ガラス７の平面と平行する高剛性ランチャンネル２端部の片面（ＹＺ平面）及び該端部の片面と垂直方向の片面（ＸＹ平面）に各々少なくとも１以上の凹部である固定部８及び固定部９を設けるとともに窓ガラス７の平面と平行する固定片１の片面（ＹＺ平面）及び該固定片１の片面と垂直方向の片面（ＸＹ平面）に各々少なくとも１以上の凸部である固定部３及び固定部４を設け、しかも前記高剛性ランチャンネル２の組付け挿入側となる固定片１の上面の一端が上部（Ｘ軸側）へ押し広げられた挿入口１１を形成して、該固定部８と対応する固定部３及び該固定部９と対応する固定部４を各々嵌合わせたことを特徴とする高剛性ランチャンネルと固定片の取付構造に関する。
【００１２】
本発明の第２は、窓ガラス７の平面と平行する高剛性ランチャンネル２端部の片面（ＹＺ平面）及び該端部の片面と垂直方向の片面（ＸＹ平面）に各々少なくとも１以上の凸部である固定部８及び固定部９を設けるとともに窓ガラス７の平面と平行する固定片１の片面（ＹＺ平面）及び該固定片１の片面と垂直方向の片面（ＸＹ平面）に各々少なくとも１以上の凹部である固定部３及び固定部４を設け、しかも前記高剛性ランチャンネル２の組付け挿入側となる固定片１の上面の一端が上部（Ｘ軸側）へ押し広げられた挿入口１１を形成して、該固定部８と対応する固定部３及び該固定部９と対応する固定部４を各々嵌合わせたことを特徴とする高剛性ランチャンネルと固定片の取付構造に関する。
【００１３】
本発明の第３は、前記固定部３及び固定部４を、高剛性ランチャンネル２の延びる長手方向（Ｙ軸方向）に互いに離間して設けることを特徴とする請求項１又は２に記載の高剛性ランチャンネルと固定片の取付構造に関する。
【発明の効果】
【００１４】  本発明の高剛性ランチャンネルと固定片の取付構造は、高剛性ランチャンネルと固定片との取付部が複雑な構造をとることなく、凹凸部で形成された簡易な構造で嵌合しているので、作業性がよく組付けにおいても容易に行うことができという優れた効果を有する。【００１５】  また、本発明の高剛性ランチャンネルと固定片の取付構造は、取付部の構造が簡易であるため複雑な製作工程を経る必要がない。そのため製作費も経済的であるという優れた効果を有している。【００１６】  また、本発明の高剛性ランチャンネルと固定片の取付構造は、固定片がＹ軸方向又はＺ軸方向からの挿入に対応できるように、ＸＺ平面又はＸＹ平面の開口部の一片に挿入口を有しているので容易に組付けることができ作業性がよいという優れた効果を有する。【００１７】  また、本発明の高剛性ランチャンネルと固定片の取付構造は、高剛性ランチャンネルと固定片の取付構造が窓ガラスの平面と平行する片面（ＹＺ平面）並びに該片面と垂直方向の片面（ＸＹ平面）の双方に固定部を設けているため、窓ガラスの摺動摩擦応力のＹ軸方向とＸ軸方向の応力に耐えることができる。即ち、窓ガラスの昇降による摺動摩擦応力のＹ軸方向とＸ軸方向の双方に対応した固定部を設けているため、当該摺動摩擦応力が生じても高剛性ランチャンネルが固定片からずれることがなく、窓ガラスの昇降が長時間繰り返されてもスムーズに窓ガラスの昇降ができるという優れた効果を有する。
【発明を実施するための最良の形態】
【００１８】  以下本発明について具体的に説明するが、これらの説明に限定されるものではない。【００１９】  本発明の構成について図１及び図２を参照して説明する。図１は本発明の実施の形態例を示す組付け斜視図である。また、図２Ａは、本発明の実施の形態例を示す高剛性ランチャンネルの斜視図である。また、図２Ｂは、本発明の実施の形態例を示す高剛性ランチャンネルの断面図である。【００２０】  本発明の高剛性ランチャンネルと固定片の取付構造は、窓ガラス７の平面と平行する高剛性ランチャンネル２端部の片面（ＹＺ平面）及び該端部の片面と垂直方向の片面（ＸＹ平面）に各々少なくとも１以上の固定部８及び９を設けるとともに窓ガラス７の平面と平行する固定片１の片面（ＹＺ平面）及び該固定片１の片面と垂直方向の片面（ＸＹ平面）に各々少なくとも１以上の固定部３及び４を設け、該固定部８と対応する固定部３及び該固定部９と対応する固定部４を各々固定した構成となっている。【００２１】  また、本発明の高剛性ランチャンネルと固定片の取付構造は、固定部８及び９が凹部を形成し且つ固定部３及び４が凸部を形成した構成となっている。【００２２】  また、本発明の高剛性ランチャンネルと固定片の取付構造は、固定部８及び９が凸部を形成し且つ固定部３及び４が凹部を形成した構成となっている。【００２３】  また、本発明の高剛性ランチャンネルと固定片の取付構造は、固定片が一枚板の金属片で一体的にプレス成形された構成となっている。【００２４】  また、本発明の高剛性ランチャンネルと固定片の取付構造は、固定片が切り込み加工によって形成された折り返し部５を有する構成となっている。【００２５】  また、本発明の高剛性ランチャンネルと固定片の取付構造は、固定片がＹ軸方向又はＺ軸方向からの挿入に対応できるように、開口部の一片に挿入口１１を形成された構成となっている。【００２６】  次に、本発明である高剛性ランチャンネルと固定片の取付構造の発明を実施するための最良の形態例について、高剛性ランチャンネル２の固定部８及び９が凹部を形成し、固定片１の固定部３及び４が凸部を形成した構成について詳細に説明する。【００２７】  まず、図２Ａに示すように、高剛性ランチャンネル２は、窓ガラス７の平面と平行する高剛性ランチャンネル２の端部の片面（ＹＺ平面）に凹状の固定部８を形成するとともに、固定部８とは垂直方向の片面（ＸＹ平面）に凹状の固定部９を形成した構成となっている。この凹状の固定部８及び９の形成は各々１以上形成することができ固定部が多いほど固定片１と高剛性ランチャンネル２との固定を強固にすることができるが、製作工程や経済性を勘案して適宜に形成することができる。【００２８】  また、高剛性ランチャンネル２は、図２Ｂに示すように、横断面がコ字形状に押し出し成形により形成されている。そして、窓ガラスを受容し摺動するリップ部１６はゴム、もしくは熱可塑性樹脂などの軟質材、高剛性ランチャンネル２本体を構成する保持部１４はゴム、もしくは熱可塑性樹脂などの硬質材で構成され、窓ガラスの湾曲ラインとほぼ同様に湾曲した形状に形成されている。（図示せず）そして、該保持部１４は、保持部を補強するための金属の芯材１５を内臓して形��することができるが、製作工程や経済性を勘案して適宜に形成することができる。また、高剛性ランチャンネル２の底部には、図３、図４及び図５に示したように、固定片１に設けられた止め部１２と対応する位置にリップ１３が形成されている。【００２９】  次に、図１に示すように、固定片１は、プレス加工などにより横断面が略コ字形を有する形状に加工されるが、窓ガラス７の平面と平行する固定片１の片面（ＹＺ平面）に凸状の固定部３を形成するとともに、固定部３とは垂直方向の片面（ＸＹ平面）に凸状の固定部４を形成した構成となっている。この凸状３及び４の固定部の形成は各々１以上形成することができ固定部が多いほど高剛性ランチャンネル２と固定片１との嵌合を強固にすることができるが、製作工程や経済性を勘案して適宜に形成することができる。【００３０】  上述した高剛性ランチャンネル２に形成する凹状の固定部と固定片１に形成する凸状の固定部は、各々対応する固定個所で同数の固定部を設けることが肝要である。【００３１】  そして、このように形成した凹状の固定部を有する高剛性ランチャンネル２は、凸状の固定部を有する固定片に挿入嵌合され強固に固定されるが、高剛性ランチャンネル２の凹状の固定部８は固定片１の凸状の固定部３に、また、高剛性ランチャンネル２の凹状の固定部９は固定片１の凸状の固定部４に固定されることにより、本発明の高剛性ランチャンネル２と固定片１の取付構造が構成されている。【００３２】  次に固定片１の構成について図１、図３、図４及び図５を参照してさらに詳細に説明する。図３は、本発明の実施の形態例を示す図１のＡ−Ａ断面図、図４は、本発明の実施の形態例を示す図１のＢ−Ｂ断面図、図５は、本発明の実施の形態例を示す図１のＣ−Ｃ断面図である。【００３３】  固定片１は、プレス加工などにより横断面が略コ字形を有する形状に加工されるが、一枚板の金属片で一体的にプレス成形されている。そして、窓ガラス７の平面と平行する固定片１の片面（ＹＺ平面）に凸状の固定部３を形成するとともに、固定部３とは垂直方向の片面（ＸＹ平面）に凸状の固定部４が形成されている。そして、さらに、固定片１は、高剛性ランチャンネル２を受容するための折り返し部５と固定片１の下面、即ち、ドアパネル接触面１０にドアパネル組付け用雌ネジ６が形成されている。【００３４】  この折り返し部５は、固定片１の該片面（ＸＹ平面）について、三辺の切り込みを入れた残りの一片を軸として固定片１本体の開口側に折曲されて形成され、固定片１の上面と折り返し部５との間に高剛性ランチャンネル２が装着できる構成となっている。さらに、折り返し部５には高剛性ランチャンネル２を受容固定するためのくぼみ状の止め部１２が設けられている。【００３５】    また、図１及び図３に示したように、固定片１は、高剛性ランチャンネル２の組付け挿入がスムーズに行われるように、固定片１の上面の一端が上部へ押し広げられた挿入口１１が形成されている。この挿入口１１について本実施例では、図１に示すように固定片のＹ軸方向からの挿入に対応するように開口部の一片に挿入口が形成された構成を例示したが、Ｚ軸方向からにも対応するように開口部の一片に挿入口を形成することもでき���図示せず）本実施例に限定されるものではない。またさらに、図示したＹ軸方向に対応した開口部の一片とＺ軸方向に対応した開口部の一片の双方に挿入口を形成することができる。この場合どちらの挿入口からも容易に作業性よく組付けすることができる。【００３６】  上述したように構成された高剛性ランチャンネル２は固定片１に嵌合固定されドアパネルに固定されるが、例えば次のような方法によって組付けすることができる。まず、高剛性ランチャンネル２の下端を固定片１の挿入口１１から固定片１の上面と折り返し部５との間に挿入し、高剛性ランチャンネル２に形成された固定部８及び９を固定片１に形成された固定部３及び４に嵌合固定する。この場合、高剛性ランチャンネル２の固定部８は固定片１の固定部３に、高剛性ランチャンネル２の固定部９は固定片１の固定部４に、即ち、これら固定部の各々に対応する個所に嵌合固定される。【００３７】  そして、高剛性ランチャンネル２の底部に形成されたリップ１３が固定片１の折り返し部５に形成された止め部１２に固定され、高剛性ランチャンネル２と固定片１との固定をさらに強固にしている。また、固定部３及び８の固定状況と止め部１２及びリップ１３の固定状況は、図４に示すように強固に嵌合固定されている。また、固定部４及び９の固定状況は図５に示すように強固に嵌合されている。【００３８】  上述のように構成された本発明の剛性ランチャンネル２と固定片１は、固定片１のドアパネル接触面１０に形成されたドアパネル組付け用雌ネジ６によってドアパネルに組付け固定される。【００３９】  上述したように、本発明である高剛性ランチャンネルと固定片の取付構造の発明を実施するための最良の形態例について、高剛性ランチャンネル２の固定部８及び９が凹部を形成し、固定片１の固定部３及び４が凸部を形成した構成について説明したが、固定部８及び９が凸部を形成し、固定片１の固定部３及び４が凹部を形成した構成については、上述と同様であるので詳細な説明は省略する。【００４０】  上述したように、本発明の高剛性ランチャンネルと固定片の取付構造は、高剛性ランチャンネルと固定片との固定部が複雑な構造をとることなく、凹凸部で形成された簡易な構造で嵌合しているので、作業性がよく組付けにおいても容易に行うことができという優れた効果を有する。【００４１】  また、本発明の高剛性ランチャンネルと固定片の取付構造は、固定部の構造が簡易であるため複雑な製作工程を経る必要がない。そのため製作費も経済的であるという優れた効果を有している。【００４２】  また、本発明の高剛性ランチャンネルと固定片の取付構造は、固定片が挿入口を有しているので容易に組付けることができ作業性がよいという優れた効果を有する。【００４３】  また、本発明の高剛性ランチャンネルと固定片の取付構造は、高剛性ランチャンネルと固定片の固定構造が窓ガラスの平面と平行する片面（ＹＺ平面）並びに該片面と垂直方向の片面（ＸＹ平面）の双方に固定部を設けているため、窓ガラスの摺動摩擦応力のＹ軸方向とＸ軸方向の応力に耐えることができる。即ち、窓ガラスの昇降による摺動摩擦応力のＹ軸方向とＸ軸方向の双方に固定部を設けているため、当該摺動摩擦応力が生じても高剛性ランチャンネルが固定片からずれることがなく、窓ガラスの昇降が長時間繰り返されてもスムーズに窓ガラスの昇降ができるという優れた効果を有する。
【図面の簡単な説明】
【００４４】
【００４５】
【図１】本発明の実施の形態例を示す組付け斜視図である。
【図２Ａ】本発明の実施の形態例を示す高剛性ランチャンネルの斜視図である。
【図２Ｂ】本発明の実施の形態例を示す高剛性ランチャンネルの断面図である。
【図３】本発明の実施の形態例を示す図１のＡ−Ａ断面図である。
【図４】本発明の実施の形態例を示す図１のＢ−Ｂ断面図である。
【図５】本発明の実施の形態例を示す図１のＣ−Ｃ断面図である。
【符号の説明】
【００４６】    １        固定片
２        高剛性ランチャンネル
３        固定部
４        固定部
５        折り返し部
６        ドアパネル組付け用雌ネジ
７        窓ガラス
８        固定部
９        固定部
１０      ドアパネル接触面
１１      挿入口
１２      止め部
１３      リップ
１４      保持部
１５      芯材
１６      リップ
【図１】
0004722701.tif 000002
【図２Ａ】
0004722701.tif 000003
【図２Ｂ】
0004722701.tif 000004
【図３】
0004722701.tif 000005
【図４】
0004722701.tif 000006
【図５】
0004722701.tif 000007